(57)【要約】【課題】  本発明は、必要数のブレーカを簡単に壁等に取り付けることができ、且つ各ブレーカの接続を簡易に行うことができるブレーカユニットを提供すること目的とする。【解決手段】  本発明のブレーカユニットは、背面を左右に横断する極数に対応した溝が設けられ、当該溝に分電バーを挟み込む弾性端子をはめ込んで形成された端子溝が設けられたブレーカを複数備えている。各ブレーカは、連結穴が設けられ、本発明のブレーカユニットは、複数のブレーカの連結穴に連結棒を貫通させて複数のブレーカを一体に連結している。複数のブレーカが一体となっていることで、従来のようにブレーカを１つずつ取り付けなくても、１回の取り付け作業にて複数のブレーカを壁等に取り付けることができる。【選択図】  図１
2006338886.tif 000002
【特許請求の範囲】
【請求項１】
ブレーカの背面を左右に横断する極数に対応した溝が設けられ、当該溝に分電バーを上下から挟み込む弾性端子をはめ込んで形成された端子溝と、
ブレーカの所定箇所に貫通した連結穴と、
各ブレーカの連結穴を貫通する連結棒で複数のブレーカを一体に連結した
ことを特徴とするブレーカユニット
【請求項２】
各ブレーカの底部に設けた係止部と、
複数のブレーカを同時に係合できる上記係止部に符合する係合部を設けた取付板とを備え、上記取付板に上記連結された複数のブレーカを係合させた請求項１に記載のブレーカユニット。
【発明の詳細な説明】
【技術分野】
【０００１】
本発明はブレーカに関するものであり、特に、複数のブレーカを一体化したブレーカユニットに関するものである。
【背景技術】
【０００２】
電力線からの電力を用途や場所に応じて分配するために、配電盤には電力線からの電力を直接受ける受電ブレーカと、各用途や場所に応じた容量や機能（過電流、漏電）を備えた配電ブレーカが配置される。これら複数のブレーカは所定間隔で配電盤上に配置され、受電ブレーカから各配電ブレーカに配電盤上で配線され、各配電ブレーカの２次側から所定の用途や場所に応じて配電されるようになっている。
【発明の開示】
【発明が解決しようとする課題】
【０００３】
このような配電方式では、ブレーカの配電盤への取り付けは１つずつ行われ、受電ブレーカや配電ブレーカの配線は各ブレーカが配電板に取り付いた状態で行われる。そのため、ブレーカの取り付け作業と、配線作業に手間取る欠点があった。
【０００４】
一方、図７に示すように、背面に所定深さの端子溝１２ａ・１２ｂ・１２ｃがブレーカ１を横断するように極数に応じた数設けられたブレーカ１がある。このようなブレーカ１においては、１つの分電バー６を複数のブレーカ１の端子溝１２ａ・１２ｂ・１２ｃにはめ込んで各ブレーカ１を電気的に接続させることで、配線作業をすること無く他のブレーカ１との接続ができる。しかしながら、各ブレーカ１の配電盤への取り付けは従来と同様に１つずつ独立して行う必要がある。
【０００５】
そこで、本発明は、必要数のブレーカを簡単に壁等に取り付けることができ、且つ各ブレーカの接続を簡易に行うことができるブレーカユニットを提供すること目的とする。
【課題を解決するための手段】
【０００６】
本発明のブレーカユニットは、背面を左右に横断する極数に対応した溝が設けられ、当該溝に分電バーを挟み込む弾性端子をはめ込んで形成された端子溝が設けられたブレーカを複数備えている。各ブレーカは、連結穴が設けられ、本発明のブレーカユニットは、複数のブレーカの連結穴に連結棒を貫通させて複数のブレーカを一体に連結している。
【０００７】
このように複数のブレーカが一体となっていることで、従来のようにブレーカを１つずつ取り付けなくても、１回の取り付け作業にて複数のブレーカを壁等に取り付けることができる。
【０００８】
また、分電バーを各ブレーカの端子溝にはめ込むたけで各ブレーカ間を電気的に接続させることもでき、電気的な接続のための配線作業を省略することができる。
【発明の効果】
【０００９】
本発明は、必要数のブレーカを簡単に壁等に取り付けることができ、且つブレーカ間の電気的な接続を簡易に行うことができる。
【発明を実施するための最良の形態】
【００１０】
図１は単層二線式の受電ブレーカ１及び配電ブレーカ１を用いた場合、図２は三層三線式の受電ブレーカ１ａと単層二線式の配電ブレーカ１を用いた場合の本発明のブレーカユニットの分解図である。図１、図２に示すようにブレーカ１は、正面縦細の方形になっており、その正面に遮断レバー１１が、また、前側面に電力線挿入口１３ａ、１３ｂが設けられ、更に、当該電力線挿入口１３ａ、１３ｂに挿入された電力線（図示しない）を内部の端子に確実に係止するための係止レバー１４ａ、１４ｂが上記前側面と正面の角部に設けられている。
【００１１】
またブレーカ１の背面には所定深さの端子溝１２ａ・１２ｂ、１２ｃが当該ブレーカ１を横断するように３条形成され、各端子溝１２ａ・１２ｂ・１２ｃは、図３に示すように、弾性を持つ分配端子１５ａ、１５ｃがはめ込まれ、後述する配電バー６を上下から弾性ではさみ込むようになっている。一方、この分配端子１５ａ、１５ｃの左右は後述するように配電バー６の横断を妨げない形状になっている。
【００１２】
上記ブレーカ１の内部構造が無い所定の位置には当該ブレーカ１を左右に貫通する連結穴３１が設けられ、後述する連結棒３２が差し込まれるようになっている。ここでは上記連結穴３１は、ブレーカ１の前面側上下に２箇所、背面側上下に２箇所の合計４箇所に設けられている。
【００１３】
一方ブレーカ１の底部の前後には、図１及び図４に示すように断面コ字状の前後方向の長さがＨ１、Ｈ２のスライド溝（係止部）７ｆ、７ｒが設けられている。スライド溝７ｆ、７ｒは奥側の溝幅Ｋが入口側の溝幅Ｊよりも広くなっている。
【００１４】
一方、取付板５の後側（ブレーカ１の背面側に対応）には、幅の狭い基端部５７と、幅の広い先端部５６からなる羽子板状の複数の係合部５１ｒが中央板５２で一体に連結されて左右に配列され、また上記中央板５２の前側（ブレーカ１の前面側に対応）には、上記係合部５１ｒの先端部５６と同じ幅の複数の係合部５１ｆが中央板５２で一体に連結されて左右に配列されている。
【００１５】
また、上記後側の係合部５１ｒの基端部５７の幅Ｍは、上記スライド溝７ｆ、７ｒの入口側の溝幅Ｊより狭く、基端部５７の長さＮはスライド溝７ｒの前後方向の長さＨ１より長い。更に、隣り合う係合部５１ｒの基端部５７の間は、ブレーカ１の左右の端部からスライド溝７ｒ端部までの長さＬ（図４に示す）よりも長くなっている。また先端部５６及び係合部５１ｆの幅は、スライド溝の入口側の溝幅Ｊより大きく奥側の溝幅Ｋよりも狭くなっている。
【００１６】
この取付板５の左右の両サイドには当該取付板５を壁等にボルト又はビスで固着するために取付孔が穿孔された取り付け部５４が形成されている。
【００１７】
上記の状態で、まず、複数のブレーカ１の上記連結穴３１に連結棒３２が嵌挿され、その両端がかしめられ、当該複数のブレーカ１が相互に固着される。ここで固着されるブレーカは、電力線から電力を受ける受電ブレーカと、配電に必要な過電流ブレーカあるいは漏電ブレーカなどの配電ブレーカとが考えられる。必要とされるブレーカの数は用途に応じてまちまちであり、従って、連結棒３１にて連結されるブレーカの数は、用途に応じて様々な数となる。そのため、どのような用途にも対応できるように、４つ一組、５つ一組など様々な数のブレーカを連結したものを製品として予め用意しておくのが好ましい。
【００１８】
なお、上記連結棒３１として先端に雄螺子を形成したビスを用い、当該ビスとナットで複数のブレーカを左右から挟んで固着をする構成でもよい。この構成によって、現場で用途に応じて連結棒３１にて連結するブレーカの数の増減ができることになる。
【００１９】
このようにして連結された複数のブレーカ１を、上記取付板５とともに需要者に供給する。ここで需要者側は、まず取付板５を、その両サイドの取り付け部５４を用いて壁等に取り付ける。次いで、連結された各ブレーカ１の後ろ側のスライド溝７ｒを取付板５の後の係合部５１ｒの根元部５７にはめ込み、また、各ブレーカ１の前側のスライド溝７ｆは取付板５の前端より前に位置するようにし、そのまま、ブレーカ１を後方にスライドすることによって、上記係合部５１ｆと、上記係合部５１ｆの先端部５６にスライド溝７ｆ、７ｒが嵌りこむようになっている。これによって、複数のブレーカ１が取付板５に取り付けられることになる。
【００２０】
このようにしてブレーカ１を取付板５に取り付けると、その後、分電バー６を必要数（三相三線であれば３本（図２）、単相二線であれば２本（図１））だけ端子溝１２ａ・１２ｂ・１２ｃに挿入させ、最後にブレーカ１の背面に裏蓋８を被せる。単相二線式の場合は３つの端子溝１２ａ・１２ｂ・２ｃのうち２つの溝にだけ分電バー６を挿入するために、端子溝１２ａ・１２ｂ・１２ｃのうち１つ空くので、当該端子溝を利用して、上記裏蓋８をブレーカ１に固定する。また、三相三線の場合は両サイドのブレーカ１あるいは取付板５を利用して裏蓋８を固定する。
【００２１】
裏蓋８をブレーカ１の背後に被せることで、図５、図６に示すブレーカユニット１０が完成する。
【００２２】
以上のようにして壁等に取り付けられたブレーカユニット１０の受電ブレーカの上記電力線挿入口１３ａ、１３ｂには給電線（電力線）が差し込まれることになる。また、配電ブレーカの電力線挿入口１３ａ、１３ｂには配電線が差し込まれることになる。
【００２３】
本発明によれば、必要数のブレーカを１度の取り付け作業で簡単に壁等に取り付けることができ、また分電バーで各ブレーカ間を電気的に接続させるので、工事現場等での配線作業を省略することがでる。
【００２４】
図５及び図６に示すブレーカユニット１０を覆うカバーを取り付けることによって、規模に応じた配電盤を得ることがでる。また、ブレーカユニット１０を長期間使用する場合、使用環境の変化によって必要となるブレーカ数が変化する場合があるが、必要となるブレーカ数が変化しても上記連結棒３１を取り外してブレーカユニット１０のブレーカの数を変更できるので、本発明は、ブレーカの増設あるいは削減にも容易に対応することができる。
【図面の簡単な説明】
【００２５】
【図１】単層二線式のブレーカのみが連結されたブレーカユニットの分解図である。
【図２】単層二線式と三相三線式のブレーカが連結されたブレーカユニットの分解図である。
【図３】端子溝の拡大図である。
【図４】ブレーカの底部に形成されたスライド溝の拡大図である。
【図５】単層二線式のブレーカのみが連結されたブレーカユニットの外観図である。
【図６】単層二線式と三相三線式のブレーカが連結されたブレーカユニットの外観図である。
【図７】従来のブレーカの外観図である。
【符号の説明】
【００２６】
１、１ａ  ブレーカ
１０  ブレーカユニット
１１  遮断レバー
１２ａ、１２ｂ、１２ｃ  端子溝
１３ａ、１３ｂ  電力線挿入口
１４ａ、１４ｂ  係止レバー
１５ａ、１５ｃ  分配端子
３１  連結孔
３２  連結棒
５  取付板
５１  ｆ、５１ｒ
５２  中央板
５４  取り付け部
５６  先端部
５７  基端部
６  分電バー
７ｆ、７ｒ  スライドレール
８  裏蓋
【図１】
2006338886.tif 000003
【図２】
2006338886.tif 000004
【図３】
2006338886.tif 000005
【図４】
2006338886.tif 000006
【図５】
2006338886.tif 000007
【図６】
2006338886.tif 000008
【図７】
2006338886.tif 000009